(57)【特許請求の範囲】
【請求項１】
拡大印刷台と、上記拡大印刷台の上に位置する露光ヘッドとを備える、立体投影イメージングのために回折格子および感光性材料を取り付けるための装置であって、
上記拡大印刷台は、チャンバ構造をしており、該拡大印刷台の上面に設けられた複数の吸引孔と、該拡大印刷台の側面に設けられ、排気装置に接続された少なくとも１つの排気ポートとを有していると共に、
さらに、上記拡大印刷台の上記上面に接続された圧縮手段を備えていることを特徴とする、立体投影イメージングのために回折格子および感光性材料を取り付けるための装置。
【請求項２】
上記複数の吸引孔は、均一に設けられていることを特徴とする請求項１に記載の、立体投影イメージングのために回折格子および感光性材料を取り付けるための装置。
【請求項３】
上記圧縮手段は、上記上面の二辺に取り付けられ、少なくともスプリング装置を介して上記上面と接続している少なくとも２つの圧縮部材を有していることを特徴とする請求項１に記載の、立体投影イメージングのために回折格子および感光性材料を取り付けるための装置。
【請求項４】
上記スプリング装置は、電気制御スイッチあるいは空気制御スイッチであることを特徴とする請求項３に記載の、立体投影イメージングのために回折格子および感光性材料を取り付けるための装置。
【請求項５】
上記圧縮部材は、圧縮棒あるいは圧縮ブロックであることを特徴とする請求項３に記載の、立体投影イメージングのために回折格子および感光性材料を取り付けるための装置。
【請求項６】
上記露光ヘッドの下に位置し、上記回折格子および上記感光性材料を上から下へと圧縮する補助圧縮手段をさらに有していることを特徴とする請求項１に記載の、立体投影イメージングのために回折格子および感光性材料を取り付けるための装置。
【請求項７】
上記補助圧縮手段は、フレームに直交して該フレームに取り付けられた空気ペンであることを特徴とする請求項６に記載の、立体投影イメージングのために回折格子および感光性材料を取り付けるための装置。
【請求項８】
上記フレームは、求められる投影感光性領域のサイズに適合したサイズを有していることを特徴とする請求項７に記載の、立体投影イメージングのために回折格子および感光性材料を取り付けるための装置。
【発明の詳細な説明】
【技術分野】
【０００１】
本発明は、立体投影イメージングのために回折格子および感光性材料を取り付けるための装置に関する。
【背景技術】
【０００２】
立体投影イメージングの従来の回折格子および感光性材料は、投影イメージングの前に結合して一体とされ、その後、現像処理が行われる。回折格子の押し付け比率を高くするためには、現像のための構成が大型になるので、ローション、時間、および、空間の消費も大きくなる。さらに、現像された立体写真は、高いかぶり濃度を有し、低コントラストであり、回折格子の表面は傷がつきやすいため、現像した時の外観に影響を与える。また、予め結合して一体とされた立体感光性材料は、輸入に依存しており、高コストである。
【発明の概要】
【発明が解決しようとする課題】
【０００３】
本発明によって解決すべき技術的問題は、従来技術では回折格子および感光性材料を取り付ける装置がないという問題を克服することであり、立体投影イメージングのために回折格子および感光性材料を取り付けるための装置を提供することである。
【課題を解決するための手段】
【０００４】
上記の技術的問題を解決するために、本発明は、拡大印刷台と、上記拡大印刷台の上に位置する露光ヘッドと、上記拡大印刷台の上面に接続された圧縮手段とを有し、上記拡大印刷台は、チャンバ構造をしており、該拡大印刷台の上記上面に設けられた複数の吸引孔と、該拡大印刷台の側面に設けられ、排気装置に接続された少なくとも１つの排気ポートとを有している、立体投影イメージングのために回折格子および感光性材料を取り付けるための装置を提供する。
【０００５】
上記複数の吸引孔は、均一に設けられていることが好ましい。
【０００６】
上記圧縮手段は、上記上面の二辺に取り付けられ、少なくともスプリング装置を介して上記上面と接続している少なくとも２つの圧縮部材を有していることが好ましい。
【０００７】
上記スプリング装置は、電気制御スイッチあるいは空気制御スイッチであることが好ましい。
【０００８】
上記圧縮部材は、圧縮棒あるいは圧縮ブロックであることが好ましい。
【０００９】
上記露光ヘッドの下に位置し、上記回折格子および上記感光性材料を上から下へと圧縮する補助圧縮手段をさらに有していることが好ましい。
【００１０】
上記補助圧縮手段は、フレームに直交して該フレームに取り付けられた空気ペンであることが好ましい。
【００１１】
上記フレームは、求められる投影感光性領域のサイズに適合したサイズを有していることが好ましい。
【発明の効果】
【００１２】
本発明の明確な有益な効果は、以下の通りである。回折格子および感光性材料を取り付けるための装置は、立体写真を現像するためのリアルタイムの複合装置を提供する。本発明に係る取付装置によれば、回折格子および感光性印画紙は、予め結合して一体とされること、あるいは、露光後に回折格子と一緒に現像されることのいずれかが必要である。そのため、回折格子の押し付け比率が高く、現像の困難性が高く、立体像効果が低く、コストが高いという問題を解決することができる。
【図面の簡単な説明】
【００１３】
【図１】本発明の一実施形態に係る、立体投影イメージングのために回折格子および感光性材料を取り付けるための装置の分解図が示されている。
【発明を実施するための形態】
【００１４】
本発明の実施形態について、図面を参照して説明する。
【００１５】
図に示すように、立体投影イメージングのために回折格子および感光性材料を取り付けるための装置は、拡大印刷台１を有している。拡大印刷台１はチャンバ構造をしており、感光性材料１０および回折格子９を支持するための上面１１を有している。上面１１には、複数の吸引孔２が均一に形成されている。排気装置（図示せず）と接続するための３つの排気ポート３は、拡大印刷台１の一側面に形成されている。排気装置は、管を介して３つの排気ポート３と接続している。管は、弾性を有していることが好ましい。使用時には、感光性材料１０は、感受する層を上側にして拡大印刷台１の上面１１を覆う。そして、排気装置は、排気ポート３を介して拡大印刷台１内部の空気を排気することによって、拡大印刷台１の内部を陰圧にする。これによって、感光性材料１０の上側に外気圧がかかり、該感光性材料１０が上面１１にしっかりと付着する。その結果、感光性材料１０が露光時に動いてしまうのを防ぐことができる。
【００１６】
拡大印刷台１は、回折格子９および感光性材料１０を圧縮する圧縮手段をさらにその上部に有している。圧縮手段は、上面１１のサイズに適合された２つの圧縮棒４を有している。少なくとも１つのスプリング装置５が各圧縮棒４に取り付けられており、スプリング装置５は拡大印刷台１に取り付けられた第１端部と、圧縮棒４内を垂直に通過して該圧縮棒４の上面に取り付けられた第２端部とを有している。スプリング装置５によって、圧縮棒４は拡大印刷台１に対して上下に移動することができる。スプリング装置５は、電気制御スイッチ、あるいは、空気制御スイッチであってもよい。
【００１７】
拡大印刷する前に、排気装置およびスプリング装置５は、回折格子９および感光性材料１０を上面１１に圧縮するように動かされる。これらの排気装置およびスプリング装置５は、コンピュータによって直接的に制御してもよい。拡大印刷した後、排気装置は閉じ、スプリング装置５は圧縮棒４を上げる。これによって、回折格子９および感光性材料１０は上面１０から引き離される。露光後の感光性材料１０は単独で現像され、その後回折格子９と結合して一体とされることによって、回折格子の押し付け比率が高く、現像の困難性が高く、立体像効果が低く、コストが高いという問題を解決することができる。
【００１８】
回折格子９および感光性材料１０の拡大印刷領域における隙間あるいは転位を防ぐために、露光ヘッド６の下に補助圧縮手段が設けられていることが好ましい。補助圧縮手段は枠組構造７を有しており、該枠組構造７の内部領域が露光領域である。複数の空気ペン８は、枠組構造７に直交して該枠組構造７に取り付けられている。待機時には、複数の空気ペン８の端部は上面１１との間隔を維持するために持ち上がっており、動作時には、複数の空気ペン８の端部は上面１１上の回折格子９に接触するために下に伸びる。
【００１９】
図面に示し、以上で説明した本発明の実施形態はただの一例に過ぎず、本発明を限定するものではないことを当業者であれば理解できるであろう。
【００２０】
本発明の目的は、十分になおかつ効果的に達成されたことが分かる。その実施形態は、本発明の機能的および構造的な原理を説明する目的で示し、説明している。また、実施形態は、このような原理を逸脱しない範囲内で変更することができる。したがって、本発明は、以下の請求項の精神および範囲に含まれるすべての変更を包含するものである。
【図１】
0005525544.tif 000002